(57)【要約】【課題】プラグと親台の結合を隠定、確実にしたコネクターセットの定位結合構造を提供する。【解決手段】親台１０の一側端面は、差し穴１０１を凹設し、ソケットコネクター１５を中に設けている。側面に載せ台１０２を突設し、且つ載せ台１０２上に扣接滑り槽１０３を凹設している。プラグ２０は突きくさび部２１が設けられ、丁度よく親台１０の扣接滑り槽１０３の中に滑り込んで、プラグ２０の前段を対応的に親台１０の差し穴１０１の中に差し込み可能する。これによって、プラグ２０の突きくさび部２１と親台１０の扣接滑り槽１０３は丁度よく互いに滑り合って、隠固に、正確にプラグを親台上に結合させる。また、プラグ２０の前段を正確に親台１０の差し穴１０１の中のソケットコネクター１５の中に差し込んで、確実に親台１０とプラグ２０の間の信号の連接を完了させる。【選択図】図１
0003121873.tif 000002
【実用新案登録請求の範囲】
【請求項１】
親台と、プラグとを含むコネクターセットの定位結合構造であって、
該親台は、該親台の一側端面に差し穴が凹設され、ソケットコネクターを中に設け、並びに該側面に載せ台が突設され、且つ該載せ台上に扣接滑り槽が凹設され、
該プラグは、突きくさび部を有し、丁度よく該親台の扣接滑り槽の中に滑り扣接し、並びに該プラグの前段を対応的に該親台の差し穴の中に差し込み、プラグの突きくさび部と親台の扣接滑り槽が丁度よく互いに滑り合うことによって、該プラグが該親台上に結合していることを特徴とするコネクターセットの定位結合構造。
【請求項２】
該扣接滑り槽は、鳩尾槽状に成形されていることを特徴とする請求項１記載のコネクターセットの定位結合構造。
【請求項３】
該扣接滑り槽は、Ｔ字形槽状に形成されていることを特徴とする請求項１記載のコネクターセットの定位結合構造。
【請求項４】
親台は、一組の殻体の対合で組合わされ、該親台の中には、一枚の回路板が取り付けられ、第一信号線を連接し、該回路板はソケットコネクターが連接され、その差し込んだ端は、投影で該親台の差し孔の内側に対応し、且つ該ソケットコネクターの各端子を該回路板に溶接することを特徴とする請求項１記載のコネクターセットの定位結合構造。
【請求項５】
該回路板には、第二信号線が溶接され、該親台から外に向かって引き出し、これによって第一信号線、第二信号線及びプラグが連接した信号線を互いに信号伝送を進行可能とすることを特徴とする請求項４記載のコネクターセットの定位結合構造。
【請求項６】
該親台は、弾性的に定位玉が設けられ、該定位玉を常時該扣接滑り槽の中に突出して、対応的に該プラグの突きくさび部の定位穴の中に掛け込むことを特徴とする請求項１記載のコネクターセットの定位結合構造。
【請求項７】
該親台の中には、はめ筒が設けられていて、圧縮バネをはめ接し、該圧縮バネにより常時定位玉を突き推して、該定位玉の頂端をはめ孔から外に向けて、該扣接滑り槽の中から伸出させ、対応的に該プラグの突きくさび部の定位穴の中に掛け込むことを特徴とする請求項１記載のコネクターセットの定位結合構造。
【請求項８】
該親台の中には、一本の突き柱が設けられ、圧縮バネをはめ接し、該圧縮バネにより常時定位玉を突き推して、該定位玉の頂端をはめ孔から外に向けて、該扣接滑り槽の中から伸出させ、対応的に該プラグの突きくさび部の定位穴の中に掛け込むことを特徴とする請求項１または７記載のコネクターセットの定位結合構造。
【考案の詳細な説明】
【技術分野】
【０００１】
本考案はコネクターセットの定位結合構造に関し、特にコネクターセットの親台上に扣接滑り槽を設け、そしてプラグ上に対応の突きくさび部を設けて、該突きくさび部と扣接滑り槽の互いに配合することによって、穏固に正確に該親台及びプラグを結合する構造に関する。
【背景技術】
【０００２】
現在信号伝達に応用されているコネクターセット、特に一対多信号のコネクターセットは、通常では、親台上に一つ以上のコネクター差し穴を設けている。使用者が連接して使用する時では、一本の信号線のプラグ端を対応的に該親台のコネクター差し穴の中に挿入して信号の伝送を進行する。
【考案の開示】
【考案が解決しようとする課題】
【０００３】
上述のコネクターセットは応用上では、下記のような欠点がある。
１。プラグは、親台に差し込んだ後では、やや懸空状になっていて、該親台の一側に突伸している。これによって、外力を受けた時には、極大なる曲力モーメントを生じ、親台に対して破壊を発生して、コネクターセットの損壊をさせる。
２。プラグが親台に差し込んだ後では、懸空状態になっていて、何の定位結合構造がないので、この結合は極めて緩んでいて、不隠定であるために該プラグは容易に脱落、或いは、信号伝送の不安定を生じる。
【０００４】
従来のコネクターセットの構造は、プラグを親台に差し込んだ後は、懸空状態になっているので、親台に対して破壊を発生さし、コネクターセットを損壊させる。また、プラグと親台の結合が緩くて、不安定であるために信号伝送は不隠定等の問題がある。
【０００５】
したがって本考案の目的は、プラグと親台の結合を隠定、確実にしたコネクターセットの定位結合構造を提供することにある。
【課題を解決するための手段】
【０００６】
上述の目的を達成するために本考案の請求項に記載のコネクターセットの定位結合構造は、親台及びプラグを含む。該親台上は、台体を含んで、該台体の一側面は、差し穴が凹設されていて、端子本体の中に設けられている。並びに該側面に載せ台が突設され、且つ該載せ台に扣接滑り槽が凹設されている。該プラグは、突きくさび部が設けられ、丁度よく該親台の扣接滑り槽の中に滑り扣接する。並びに該プラグの前段を対応的に該親台の差し穴の中に差し込に可能とする。これによって、プラグの突きくさび部と親台の扣接滑り槽は丁度よく互いに滑り合って、隠固に、正確に該プラグを該親台上に結合させる。
【考案を実施するための最良の形態】
【０００７】
以下、本考案の実施例を図面に基づいて説明する。
図１から図４に示すように、本実施例によるコネクターセットの定位結合構造は下記のものを含む。親台１０及びプラグ２０、該親台１０の一側端面は、差し穴１０１を凹設し、ソケットコネクター１５を中に設けている。並びに該側面に載せ台１０２を突設し、且つ該載せ台１０２上に扣接滑り槽１０３を凹設している。該プラグ２０は突きくさび部２１が設けられ、丁度よく該親台１０の扣接滑り槽１０３の中に滑り込んで、該プラグ２０の前段を対応的に該親台１０の差し穴１０１の中に差し込み可能である。これでプラグ２０の突きくさび部２１と親台１０の扣接滑り槽１０３が丁度よく互いに滑り合わせすることによって、隠固的に該親台１０上に該プラグ２０を結合する。また、該プラグ２０の前段を正確に親台１０の差し穴１０１の中のソケットコネクター１５の中に差し込んで、確実に親台１０とプラグ２０の間の信号の連接を完了させる。
【０００８】
本実施例による該親台１０に設けた扣接滑り槽１０３は、該載せ台１０２の前側端縁から中に向かって凹設して、鳩尾槽状或いは、Ｔ字形槽状にすることが可能である。本考案においては該扣接滑り槽１０３の断面形状を自限しない。
【０００９】
図１、図２に示すように本実施例の親台１０は、一ペアの殻体１１、１２で対合して組成し、該親台１０の中は、一枚の回路板１３が取り付けられていて、第一信号機１４ａを連接し、並びに該回路板１３にソケットコネクター１５が連接されている。差し込んだ端は、投影で該親台１０の差し穴１０１の内側に対応する、尚且つ該ソケットコネクター１５の各端子１５１を該回路板１３に溶接する。
【００１０】
本実施例の掲示した親台１０は、該回路板１３上で、一歩進んで第二信号機１４ｂが溶接されていて、並びに該親台１０から外に向かって引きだし、本考案が連接した第一信号線１４ａ、第二信号線１４ｂ及びプラグ２０が連接した信号線２２は、互いに両向き或いは、片向き信号伝送を進行可能である。
【００１１】
図１、図２、図３、図４に示すように本実施例のコネクターセットの定位結合構造の該親台１０の中は、弾性地に定位玉１６が設けられ、該定位玉１６の頂段を常時該扣接滑り槽１０３の中に突出さして、対応的に該プラグ２０の突きくさび部２１の定位穴２１１の中に掛け込む。これで、該プラグ２０が該突きくさび部２１に準じて、該親台１０の扣接滑り槽１０３の中で、一段の距離を滑り動いた後でも、該定位玉１６によって対応的に該プラグ２０の突きくさび部２１の定位穴２１１の中に掛け込むことが可能である。これによって、該プラグ２０が外に向かって退出するのを阻碍し、該プラグ２０を隠定的に該親台１０の中に差し込む。
本実施例の該親台１０の中は、はめ筒１７或いは、一本の突き柱１７１が設けられ、圧縮バネ１８をはめ接し、並びに該圧縮バネ１８を常時該定位玉１６を突押し、該定位玉１６の頂端をはめ孔１９から外に向けて、該扣接滑り槽１０３の中から伸出する。
【００１２】
主なる構造の特徴は、該プラグ２０に突きくさび部２１が含み、丁度よく該親台１０の扣接滑り槽１０３の中に滑り込むことで、これは該プラグ２０の前端を正確に該親台１０の中に差し込み可能である以外に、該突きくさび部２１と扣接滑り槽１０３の配合によって、該プラグ２０を更に密接に該親台１０の上に結合可能である。この外に、定位玉１６で弾性的に該プラグ２０の中に掛け止め、有効に該プラグ２０を外に向けて滑り退くのを阻碍可能で、これによってプラグ２０と親台１０の結合を更に隠定、確実にすることが可能であることは、本考案の新鋭なる実用性を表す。
【００１３】
本考案の構想、形状を一部変更した後に生じた効果、作用が本明細書と図面を含む範囲である場合はすべて本考案の範囲に属することは当然である。
【図面の簡単な説明】
【００１４】
【図１】本考案の実施例によるコネクターセットの定位結合構造の親台とプラグの分離状態を示す図である。
【図２】本考案の実施例によるコネクターセットの定位結合構造の親台の局部分解図である。
【図３】本考案の実施例によるコネクターセットの定位結合構造の親台とプラグの結合状態を示す図である。
【図４】図３の４−４方向の局部断面図である。
【符号の説明】
【００１５】
１０  親台、１１  殻体、１２  殻体、１３  回路板、１４ａ  第一信号線、１４ｂ  第二信号線、１５  ソケットコネクター、１６  定位玉、１７  はめ筒、１８  圧縮バネ、１９  はめ孔、２０  プラグ、２１  突きくさび部、２２  信号線、１０１  差し穴、１０２  載せ台、１０３  扣接滑り槽、１５１  端子、１７１  突き柱、２１１  定位穴
【図１】
0003121873.tif 000003
【図２】
0003121873.tif 000004
【図３】
0003121873.tif 000005
【図４】
0003121873.tif 000006
【手続補正書】
【提出日】平成18年3月29日(2006.3.29)
【手続補正１】
【補正対象書類名】実用新案登録請求の範囲
【補正対象項目名】請求項１
【補正方法】変更
【補正の内容】
【請求項１】
親台と、プラグとを含むコネクターセットの定位結合構造であって、
該親台は、該親台の一側端面に差し穴が凹設され、ソケットコネクターを中に設け、並びに該側面に載せ台が突設され、且つ該載せ台上に滑り槽が凹設され、
該プラグは、突きくさび部を有し、丁度よく該親台の滑り槽の中に設置され、並びに該プラグの前段を対応的に該親台の差し穴の中に差し込み、プラグの突きくさび部と親台の扣接滑り槽が丁度よく互いに滑り合うことによって、該プラグが該親台上に結合していることを特徴とするコネクターセットの定位結合構造。
【手続補正２】
【補正対象書類名】実用新案登録請求の範囲
【補正対象項目名】請求項２
【補正方法】変更
【補正の内容】
【請求項２】
該滑り槽は、断面が台形状に成形されていることを特徴とする請求項１記載のコネクターセットの定位結合構造。
【手続補正３】
【補正対象書類名】実用新案登録請求の範囲
【補正対象項目名】請求項３
【補正方法】変更
【補正の内容】
【請求項３】
該滑り槽は、断面がＴ字形に形成されていることを特徴とする請求項１記載のコネクターセットの定位結合構造。